(57)【要約】      （修正有）【課題】車両用のエアコンが、使用年数や使用頻度から起こるホコリや塵やカビなどの雑菌が堆積し不衛生となった場合において、車両の利用者が容易に専門的な洗浄用具を使用し車両用のエアコンの洗浄作業を可能とする。【解決手段】利用者が、車両用エアコンの洗浄作業を、セルフ式で行える様に洗浄用の洗浄用スプレーガン１０を用いて作業を行える機能を搭載した洗浄機械１を設置したクリーニングステーションであり、この洗浄機械１は、液晶画面での案内機能を備えているセルフ式の洗浄を目的とした機械設備である。【選択図】図１
2015199464.tif 000002
【特許請求の範囲】
【請求項１】
利用者がセルフサービスでエアコンのクリーニング作業を行う車両用エアコンクリーニングステーションであって、前記車両用エアコンクリーニングステーションの本体部の洗浄機械は、利用者によるクリーニングの料金支払いと、エアコンのクリーニング作業工程の説明及び作業手順の案内を表示する操作装置と、この操作装置からの指令により動作する残り使用時間を確認可能な洗浄作業用の高圧噴霧装置を備えた洗浄装置であることを特徴とする車両用エアコンクリーニングステーション。
【請求項２】
利用者が前記洗浄機械で洗浄し、車両のエアコン排水ドレンから排出された汚水を貯留して汚水の状況を確認できる汚水貯留槽を備えたことを特徴とする請求項１に記載の車両用エアコンクリーニングステーション。
【請求項３】
高圧噴霧装置から噴射される洗浄液で車内のダッシュパネルにある送風口とブロアーファンを洗浄する第一の工程と、高圧噴霧装置から噴射される水でダッシュパネルにある送風口とブローファンを濯ぎ洗浄する第二の工程と、高圧噴霧装置から噴射される抗菌液で車内のダッシュパネルにある送風口とブロアーファンを抗菌する第三の工程とからなることを特徴とする車両用エアコンクリーニング方法。
【発明の詳細な説明】
【技術分野】
【０００１】
本発明は、車両のエアコンの洗浄をセルフ式で行えるクリーニングステーションに関する。
【背景技術】
【０００２】
自動車等のエアコンは、よくエアコン始動時に嫌な臭いがすることがある。その嫌な臭いの原因は、車外から持ち込んだホコリ等が車内で循環していたり、外気から枯葉や塵などを吸気してしまっていたり、冷房時に起きる水滴が後にカビとなったものが、エアコン内に堆積しているからである。自動車のエアコンは、ホコリや塵を吸気しやすい車両の構造と、車両特有の気密性によって高温多湿になりやすい条件もあり、汚れが堆積しやすくカビ等の雑菌も繁殖しやすい環境にもなっている。またそれらは、車両の使用頻度や使用期間とともに増える一方である。エアコンフィルター交換であれば、一般ユーザーでも車内のグローブボックスを開ければ、大概の国産車はフィルター交換が出来る設計となっているが、フィルター交換だけでは車両用エアコン本体の汚れやカビを除去することはできない。さらに車両用エアコンの構造は、車内の空間が限られていることもあり、一般ユーザーが専用の道具も無しに容易に掃除をできる設計となっている車両は存在しないと言える。
【０００３】
同じエアコンでも家庭用エアコンであれば表面のカバーが容易に開閉できるので簡易的な清掃であれば可能であるが、車両用のエアコンの洗浄については、車両の複雑な構造によって、一般ユーザーが汚れの元となっている箇所を確認する事さえ困難である。  
【０００４】
車両用エアコンの洗浄用具としてスプレー缶タイプの専用クリーナーなども市販品されているが、スプレー缶の噴射力では洗浄液を噴射している程度で、堆積した汚れそのものを除去するには至っていない。また、カー用品店や自動車整備工場の一部では車両用のエアコン洗浄を行う洗浄業者も存在しているので、業者に洗浄を依頼することも可能だが、まだ普及していないので洗浄業者が少ない。または予約が必要であるので利用者の時間が拘束されるなどの背景もあり、車両の利用者がエアコンを汚れたまま使用している不衛生な環境となっている。
【先行技術文献】
【特許文献】
【０００５】
【特許文献１】特開２００５−３２９７５０
【特許文献２】特開昭２００１−９６２０３
【発明の概要】
【発明が解決しようとする課題】
【０００６】
解決しようとする問題点は、送風口、ブロアーファン、エバポレーターという熱交換装置、ヒーターなどで構成されている車両のエアコン本体が、ホコリや塵といった様々な汚れやカビ等の雑菌が堆積した場合において、車両の複雑な設計が障害となり、一般ユーザーには容易に洗浄または清掃が出来ないので不衛生な状態になっている。
【課題を解決するための手段】
【０００７】
上記課題を解決するために、本発明の車両用エアコンクリーニングステーションは、利用者がセルフサービスで車両用エアコンのクリーニング作業を行う車両用エアコンクリーニングステーションであって、前記車両用エアコンクリーニングステーションの本体部の洗浄機械は、利用者による入力操作を受け付けてエアコンのクリーニング作業工程を案内表示する操作装置と、この操作装置からの指令により動作する洗浄作業用の洗浄液と濯ぎ作業用の水と抗菌作業用の抗菌液を高圧にて噴射するスプレーガンを備えた洗浄装置であることを特徴とする。
さらに、前記車両用エアコンクリーニングステーションは、エアコン洗浄の利用者が、洗浄作業によって洗い流された汚水の状況を確認可能な汚水桝を備えたことを特徴とする。
【発明の効果】
【０００８】
本発明の車両用エアコンのセルフクリーニングステーションによれば、セルフ式で車両用エアコンの洗浄が可能となるよう液晶画面式の案内機能が備わった洗浄装置が設置してあるクリーニングステーションであるため、利用者が車両のエアコンの洗浄を行いたい時に、容易にエアコンの洗浄作業を行うことができる。
【図面の簡単な説明】
【０００９】
【図１】本発明の車両用エアコンクリーニングステーションの本体部を示す。
【図２】本発明の車両用エアコンクリーニングステーションの操作装置の操作フローチャートを示す。
【図３】本発明の車両用エアコンクリーニングステーションの操作装置の画面を示す。
【図４】本発明の車両用エアコンクリーニングステーションの操作装置の洗浄作業開始の画面を示す。
【図５】本発明の車両用エアコンクリーニングステーションの洗浄機械の洗浄作業用のスプレーガンの側面図、正面図を示す。
【図６】車両のダッシュパネルを示す。
【図７】本発明の車両用エアコンクリーニングステーションの操作装置の濯ぎ作業開始の画面を示す。
【図８】本発明の車両用エアコンクリーニングステーションの操作装置の抗菌作業開始の画面を示す。
【図９】本発明の車両用エアコンクリーニングステーションの汚水桝の平面図、断面図を示す。
【発明を実施するための形態】
【００１０】
セルフ式で車両用エアコンの洗浄を行うために、利用者が料金の支払い及び作業手順を液晶画面による案内によって進めることが出来る機能を備え、かつ洗浄作業用の洗浄液をコンプレッサーの圧力を利用し噴射口から洗浄液を噴射させる洗浄用のスプレーガンを搭載した洗浄機械を設置した車両用エアコンクリーニングステーションである。
【実施例】
【００１１】
図１は、本発明の車両用エアコンクリーニングステーションの本体部である洗浄機械１を示し、該洗浄機械１は、料金支払いと作業工程を案内するタッチパネル方式を用いた液晶画面を搭載した操作装置２と、洗浄作業用のスプレーガン１０を備えた洗浄装置９を搭載している。
また、図１において、３はマイク、４はスピーカー、５は作業時間のカウンター、６はコインの料金投入口、７は紙幣の料金投入口、８はレシート発行及び釣銭口、１１はコンプレッサーの気圧計である。
図２は、本発明の車両用エアコンクリーニングステーションの洗浄機械１の操作手順を示す操作フローチャートである。
【００１２】
車両用エアコン洗浄作業の利用者が洗浄機械１の前に立つと、操作装置２が人を感知し起動する。感知した操作装置２の液晶画面が図２のフローチャートで表すように、「作業選択の入力要求の表示１３」の画面に切り替わる。画面上に作業内容に応じた料金設定が表示されるので利用者は必要な作業内容を選び、必要金額を洗浄機械１の料金投入口６または７に投入する。
【００１３】
金額の投入が完了して「確認１５」を実行後、図２のフローチャートの洗浄作業の簡単な説明を開始する図３に示す操作装置２の「作業の説明１７」の画面に切り替わる。図３の画面右上に表示される「次の画面へ１９」をタッチすることにより、順番に作業内容を示す画面に切り替わる。作業の説明が必要ない場合は画面右下の「説明をスキップ１８の文字をタッチすることにより、作業説明の手順を省き作業開始の画面に切り替えることが出来る。
【００１４】
作業の説明が終わると、操作装置２の画面が、図４の液晶画面に変わり、利用者が液晶画面の「洗浄作業を開始する２８」をタッチすることにより洗浄装置３が起動する。
図５は洗浄装置３に備えてあり、利用者が実際に洗浄、濯ぎ、抗菌作業を行うための洗浄用スプレーガン１０である。また、図６は車内のダッシュパネルである。洗浄用スプレーガン１０は、洗浄機械１に内蔵されたコンプレッサーで圧縮されたエアーがホース５８内を通り、ホース５９内の洗浄液と共に噴射される構造となっている。レバー６０を引くことで、先端ノズル６１から高圧で洗浄液が噴射され、車両のエアコン内のホコリや塵やカビなどの汚れが付着している吹き出し口６４とブロアーファン６８を高圧洗浄することが出来る。
洗浄工程は大きく３工程ある。第一の工程は、洗浄用のスプレーガン１０から噴射される洗浄液で車内のダッシュパネル６３にある吹き出し口６４とブロアーファン６８を洗浄する洗浄作業であり。第二の工程は、洗浄用のスプレーガン１０から噴射される水でダッシュパネル６３にある吹き出し口６４とブローファン６８を洗い流す濯ぎ作業である。第三の工程は、洗浄用のスプレーガン１０から噴射される抗菌液で車内のダッシュパネル６３にある吹き出し口６４とブロアーファン６８を抗菌する抗菌作業である。
【００１５】
作業開始にあたり、利用者は、備え付けのマスクとゴーグルを取り洗浄液やエアコン内の汚れの飛び跳ねを防ぐために装着する。通常の車両で４箇所あるダッシュパネル６３の吹き出し口６４を確認し、吹き出し口６４aに付いている開閉式のルーバー６５aを開いた状態とし、残りの３つのルーバー６５を閉めた状態にしておく。これはルーバー６５aを開けた状態の吹き出し口６４aから洗浄用のスプレーガン１０で洗浄液を噴射する際に、吹き出し口６４a以外からの逆噴射を防ぐためである。次に助手席側ダッシュパネル６３のグローブボックス６６を開け、中にあるエアコンフィルターのカバーと、その中に納まっているエアコンフィルターを取外し、フィルターの下もしくはその周辺に配置されているブロアーファン６８の位置を確認する。このブロアーファン６８は、熱交換器であるエバポレーターによって冷却された冷風や、ヒーターによって暖められた温風を、車内に送風する為の装置であり、特に汚れが付着している箇所でもある。
次に利用者は実際の洗浄作業に進むことになる。利用者は、洗浄装置９にある洗浄用のスプレーガン１０を手に取り、吹き出し口６４aの開閉式のルーバー６５aの隙間から洗浄用スプレーガン１０の先端ノズル６１を吹き出し口６４aの内部に向け、レバー６０を握り先端ノズル６１から洗浄液を噴射させ洗浄作業を行う。洗浄用スプレーガン１０のレバー６０を引くと、洗浄機械１に内蔵のコンプレッサーにより圧縮されたエアーがホース５８を通り、ホース５９内の洗浄液と共に先端ノズル６１から勢いよく噴射される。吹き出し口６４aの洗浄作業が終了したら、開閉式のルーバー６５aを閉め、吹き出し口６４ｂの開閉式のルーバー６５ｂを開けて洗浄作業を行う。吹き出し口６４ｃ、６４ｄともに同じ作業を繰返す。４つの吹き出し口６４内部の洗浄が終わったら、次に洗浄用スプレーガン１０の先端ノズル６１を、グローブボックス６６の中にあるフィルターカバーとフィルターを外して空いた窓６７から入れ、先端ノズル６１の噴射口をブロアーファン６８に向け洗浄液を噴射させる。利用者は、ブロアーファン６８全体を万遍なく洗浄し汚れを落とす。吹き出し口６４の洗浄時間の設定は４分間であり、ブロアーファン６８の洗浄時間は２分である。各々の洗浄時間が残り時間３０秒になるとブザーが鳴り、「残り時間は３０秒です」の音声で利用者に残りの作業時間を知らせる。また、作業中に一時的に作業を止めたい場合は、液晶画面の「一時停止」を押すことで洗浄装置の起動が停止する。この「一時停止」はその他の作業中でも共通で一時的に作業の中断が出来る。吹き出し口６４とブロアーファン６８の洗浄作業が終了すると、洗浄用のスプレーガン１０からの洗浄液の噴射の起動も終了する。
【００１６】
洗浄作業が終了すると、濯ぎ作業の説明が画面に出るが、必要ない場合は図３に示す操作装置２の画面右下の「スキップ１８」の文字をタッチすることにより、作業説明の手順を省き作業開始の画面に切り替わる事が出来る。
図７は操作装置２の濯ぎ作業を開始する為の画面であり、利用者は液晶画面の「濯ぎ作業を開始する３９」をタッチすることにより洗浄用のスプレーガン１０に接続のホース５９内に水が供給され濯ぎ作業が行える。
次に利用者は実際の濯ぎ作業に進むことになる。洗浄用のスプレーガン１０を、洗浄作業と同じく、ダッシュパネル６３にある４つの吹き出し口６４aの開閉式のルーバー６４aを開け、ルーバー６４aの隙間から洗浄用スプレーガン１０の先端ノズル６１を吹き出し口６４aの内部に向け、レバー６０を握り先端ノズル６１から水を噴射させ濯ぎ作業を行う。洗浄用スプレーガン１０のレバー６０を引くと、洗浄機械１に内蔵されたコンプレッサーにより圧縮されたエアーがホース５８内を通り、ホース５９内の水と共に先端ノズル６１から勢いよく噴射される。洗浄作業と同じく、吹き出し口６４aの洗浄作業が終了したら、開閉式のルーバー６４aを閉め、吹き出し口６４ｂの開閉式のルーバー６５ｂを開けて濯ぎ作業を行う。吹き出し口６４ｃ、６４ｄともに同じ作業を繰返す。４つの吹き出し口６４内部の洗浄が終わったら、次に洗浄用スプレーガン１０の先端ノズル６１を、フィルターカバーとフィルターを外して空いた窓６７から入れ、先端ノズル６１の噴射口をブロアーファン６８に向け水を噴射させる。利用者はブロアーファン６８全体を万遍なく濯ぎ、洗浄液を洗い流す。吹き出し口６４の濯ぎ作業時間の設定は２間であり、ブロアーファン６８の濯ぎ作業時間の設定は１分である。各々の濯ぎ作業時間が残り時間３０秒になるとブザーが鳴り、「残り時間は１５秒です」の音声で利用者に残りの作業時間を知らせる。吹き出し口とブロアーファンの濯ぎ作業が終了すると、洗浄用のスプレーガン１０からの水の噴射の起動も終了する。
【００１７】
洗浄と濯ぎ作業を終えた利用者は、次の作業である抗菌作業に進むことになる訳だが、抗菌作業を選択するか選択しないかは、前述の図２のフローチャートで表す「作業選択の入力要求の表示１３」の画面にて選択可能である。
抗菌作業を選択した利用者は、図８に示す操作装置２の「抗菌作業を開始する５０」をタッチすることにより洗浄用のスプレーガン１０に接続のホース５９内に抗菌液が供給され、抗菌作業に進むことになる。洗浄用のスプレーガン１０を、洗浄作業及び濯ぎ作業と同じく、吹き出し口６４aの開閉式のルーバー６５aの隙間から洗浄用スプレーガン１０の先端ノズル６１を吹き出し口６４a内部に向け、レバー６０を握り先端ノズル６１から抗菌液を噴射させる。洗浄用スプレーガン１０のレバー６０を引くと、洗浄機械１に内蔵されたコンプレッサーにより圧縮されたエアーがホース５８内を通り、ホース５９内の抗菌液と共に先端ノズル６１から勢いよく噴射される。洗浄作業および濯ぎ作業と同じく、吹き出し口６４aの抗菌作業が終了したら、ルーバー６５aを閉め、吹き出し口６４ｂの開閉式ルーバー６５bを開けて抗菌作業を行う。吹き出し口６４ｃ、６４ｄともに同じ作業を繰返す。４つの吹き出し口６４内部の抗菌作業が終わったら、次に洗浄用スプレーガン１０の先端ノズル６１を、グローブボックス６６の中にあるフィルターカバーとフィルターを外して空いた窓６７から入れ、先端ノズル６１の噴射口をブロアーファン６８に向け抗菌液を噴射させる。利用者はブロアーファン６１全体に万遍なく抗菌剤が行きまわるように噴射する。吹き出し口５７の抗菌作業時間の設定は４分間であり、ブロアーファン６１の抗菌作業時間は２分である。各々の洗浄時間が残り時間３０秒になるとブザーが鳴り、「残り時間は３０秒です」の音声で利用者に残りの作業時間を知らせる。吹き出し口６４とブロアーファン６８の抗菌作業が終了すると、洗浄用のスプレーガン１０からの抗菌液の噴射の起動も終了し、利用者は案内装置２の指示に従って洗浄用のスプレーガン１０を洗浄装置９に戻す。ダッシュパネル６３付近に飛び散った洗浄液等を備え付けの布巾で拭き取る。これで洗浄機械１を使用した車両用エアコンの洗浄作業は完了となる。
【００１８】
図９は、利用者が前述洗浄作業で洗い流した車両７５のエアコン内に堆積していたホコリや塵や雑菌などの汚れを確認できる汚水貯留槽７１である。汚水貯留槽７１は、排水ドレン７６から排出された汚水７７を受ける貯留槽７２と、貯留槽７２から勾配の付いた水下側の貯留槽７３から構成されおり、上部にはグレーチング７４が被さっている。溜まった汚水は、排水管７８から下水に流れる。これによって、利用者は、洗浄作業によって洗い流された汚水７７の汚れの状態を貯留槽７３にて確認することが出来る。
【産業上の利用可能性】
【００１９】
本発明によれば、車両の使用者が今まで行なえなかったより専門的な車両用エアコンの洗浄作業を、セルフ式で出来る機械設備を備えたクリーニングステーションを利用することにより、多くの人が容易に車両用エアコンの洗浄を行うことが出来る。
【符号の説明】
【００２０】
１  洗浄機械
２  操作装置
９  洗浄装置
１０  洗浄用のスプレーガン
６４  吹出し口
６８  ブロアーファン
７１  汚水貯留槽
【図３】
2015199464.tif 000003
【図４】
2015199464.tif 000004
【図７】
2015199464.tif 000005
【図８】
2015199464.tif 000006
【図９】
2015199464.tif 000007
【図１】
2015199464.tif 000008
【図２】
2015199464.tif 000009
【図５】
2015199464.tif 000010
【図６】
2015199464.tif 000011
【手続補正書】
【提出日】平成27年4月7日(2015.4.7)
【手続補正１】
【補正対象書類名】特許請求の範囲
【補正対象項目名】全文
【補正方法】変更
【補正の内容】
【特許請求の範囲】
【請求項１】
利用者がセルフサービスでエアコンのクリーニング作業を行う車両用エアコンクリーニングステーションであって、前記車両用エアコンクリーニングステーションの本体部の洗浄機械は、利用者によるクリーニングの料金支払いと、エアコンの洗浄、濯ぎ及び抗菌のクリーニング作業工程について、容易にエアコン洗浄を行える程度の詳細な説明及び作業手順の案内を表示する操作装置と、この操作装置からの指令により動作して残り使用時間が確認可能であり、車両用エアコンの送風口とブロアーファンに向け洗浄作業を行うスプレーガンを備えた洗浄装置であることを特徴とする車両用エアコンクリーニングステーション。
【請求項２】
利用者が前記洗浄機械で洗浄し、車両のエアコン排水ドレンから排出された汚水を貯留して汚水の状況を確認できる汚水貯留槽を備えたことを特徴とする請求項１に記載の車両用エアコンクリーニングステーション。